(57)【要約】【課題】室内の照明による演出効果を高め得る室内照明装置を提供する。【解決手段】本装置１は、光源（発光ダイオード２）と、天井部６に取り付けられ、前記光源を囲む本体３と、前記本体に対して側方にスライド移動可能に設けられ、前記光源からの光線を反射する反射部１９を有するスライド部材４と、を備え、前記本体には、下方透光部１１及び側方透光部１２が設けられており、前記スライド部材のスライド操作によって、該スライド部材により前記下方透光部が開放され且つ前記側方透光部が塞がれる第１照明状態Ｐと、該スライド部材により前記下方透光部が塞がれ且つ前記側方開口部が開放される第２照明状態Ｑと、を切り替えることができる。【選択図】図４
2010143346.tif 000002
【特許請求の範囲】
【請求項１】
光源と、
天井部に取り付けられ、前記光源を囲む本体と、
前記本体に対して側方にスライド移動可能に設けられ、前記光源からの光線を反射する反射部を有するスライド部材と、を備え、
前記本体には、下方透光部及び側方透光部が設けられており、
前記スライド部材のスライド操作によって、該スライド部材により前記下方透光部が開放され且つ前記側方透光部が塞がれる第１照明状態と、該スライド部材により前記下方透光部が塞がれ且つ前記側方開口部が開放される第２照明状態と、を切り替えることができることを特徴とする室内照明装置。
【請求項２】
前記反射部は、前記光源からの光線を側方に向けて反射するように構成されており、
前記第１照明状態では、前記光源からの光線が前記下方透光部を透過し、
前記第２照明状態では、前記反射部により側方に向けて反射された前記光源からの光線が前記側方透光部を透過する請求項１記載の室内照明装置。
【請求項３】
前記本体の内部には、側方に延びて前記側方透光部に連なる側方通路部が設けられており、
前記第１照明状態では、前記反射部が前記側方通路部の内部に進入して該側方通路部及び前記側方透光部が塞がれ、
前記第２照明状態では、前記反射部が前記側方通路部の内部から脱出して該側方通路部及び前記側方透光部が開放される請求項２記載の室内照明装置。
【請求項４】
前記側方通路部の内表面には、反射部が設けられている請求項３記載の室内照明装置。
【請求項５】
前記スライド部材には、前記本体の前記側方通路部の外周側に当接するつば部が設けられている請求項３又は４に記載の室内照明装置。
【請求項６】
前記反射部は、前記光源からの光線を下方に向けて反射するように構成されており、
前記第１照明状態では、前記反射部により下方に向けて反射された前記光源からの光線が前記下方透光部を透過し、
前記第２照明状態では、前記光源からの光線が前記側方透光部を透過する請求項１記載の室内照明装置。
【請求項７】
前記側方透光部は、複数設けられている請求項１乃至６のいずれか一項に記載の室内照明装置。
【請求項８】
前記本体には、前記下方透光部を塞ぐように半透明フィルムが設けられている請求項１乃至７のいずれか一項に記載の室内照明装置。
【請求項９】
前記スライド部材の前記反射部には、凹曲面及び凸曲面のうちの少なくとも一方の曲面が設けられている請求項１乃至８のいずれか一項に記載の室内照明装置。
【請求項１０】
前記光源は指向性を有する請求項１乃至９のいずれか一項に記載の室内照明装置。
【請求項１１】
前記光源は１つである請求項１乃至１０のいずれか一項に記載の室内照明装置。
【請求項１２】
前記室内照明装置は車両用である請求項１乃至１１のいずれか一項に記載の室内照明装置。
【発明の詳細な説明】
【技術分野】
【０００１】
本発明は、室内照明装置に関し、さらに詳しくは、室内の照明による演出効果を高めることができる室内照明装置に関する。
【背景技術】
【０００２】
従来より、自動車等においては、夜間の車室内の照明を目的として天井部に室内灯が設置されていることが一般的である。しかし、最近では、単に車室内の照明だけを目的とするのではなく、車室内の雰囲気を向上させる目的も兼ね合わせた室内灯の要望が高まっている。
ここで、従来の室内灯として、多様な照明を行うことができるものが知られている（例えば、特許文献１及び２参照）。
上記特許文献１には、１つの光源と、この光源の光線を遮蔽する回動シェードと、を備え、回動シェードの回動操作により光源の光線を遮蔽又は非遮蔽することによって、車室内の全体照明（直接照明）とスポット照明（直接照明）とを切り替えることができる室内灯が開示されている。
また、上記特許文献２には、１つの光源と、この光源を覆う回動可能な円盤カバーと、を備え、この円盤カバーには数種類のレンズカット部が設けられており、円盤カバーの回動操作によって、車室内の全体照明（直接照明）とスポット照明（直接照明）とを切り替えることができる室内灯が開示されている。
しかし、上記特許文献１及び２では、直接照明でしか複数の照明パターンを切り替えることができないので、車室内の雰囲気を向上させるための光の演出効果が不足しているという問題点がある。
【０００３】
また、従来の室内灯として、光源の光線をリフレクタによって灯具の前方へ向けて反射させるように構成されたものが知られている（例えば、特許文献３参照）。
しかし、上記特許文献３では、直接照明でしか照明することができないので、やはり車室内の雰囲気を向上させるための光の演出効果が不足しているという問題点がある。
【０００４】
【特許文献１】特開昭５２−６９１３７号公報
【特許文献２】特開２００２−３４７５１３号公報
【特許文献３】特開２００４−１８２０７１号公報
【発明の開示】
【発明が解決しようとする課題】
【０００５】
本発明は、上記現状に鑑みてなされたものであり、室内の照明による演出効果を高めることができる室内照明装置を提供することを目的とする。
【課題を解決するための手段】
【０００６】
本発明は、以下の通りである。
１．光源と、
天井部に取り付けられ、前記光源を囲む本体と、
前記本体に対して側方にスライド移動可能に設けられ、前記光源からの光線を反射する反射部を有するスライド部材と、を備え、
前記本体には、下方透光部及び側方透光部が設けられており、
前記スライド部材のスライド操作によって、該スライド部材により前記下方透光部が開放され且つ前記側方透光部が塞がれる第１照明状態と、該スライド部材により前記下方透光部が塞がれ且つ前記側方開口部が開放される第２照明状態と、を切り替えることができることを特徴とする室内照明装置。
２．前記反射部は、前記光源からの光線を側方に向けて反射するように構成されており、
前記第１照明状態では、前記光源からの光線が前記下方透光部を透過し、
前記第２照明状態では、前記反射部により側方に向けて反射された前記光源からの光線が前記側方透光部を透過する上記１．記載の室内照明装置。
３．前記本体の内部には、側方に延びて前記側方透光部に連なる側方通路部が設けられており、
前記第１照明状態では、前記反射部が前記側方通路部の内部に進入して該側方通路部及び前記側方透光部が塞がれ、
前記第２照明状態では、前記反射部が前記側方通路部の内部から脱出して該側方通路部及び前記側方透光部が開放される上記２．記載の室内照明装置。
４．前記側方通路部の内表面には、反射部が設けられている上記３．記載の室内照明装置。
５．前記スライド部材には、前記本体の前記側方通路部の外周側に当接するつば部が設けられている上記３．又は４．に記載の室内照明装置。
６．前記反射部は、前記光源からの光線を下方に向けて反射するように構成されており、
前記第１照明状態では、前記反射部により下方に向けて反射された前記光源からの光線が前記下方透光部を透過し、
前記第２照明状態では、前記光源からの光線が前記側方透光部を透過する上記１．記載の室内照明装置。
７．前記側方透光部は、複数設けられている上記１．乃至６．のいずれか一項に記載の室内照明装置。
８．前記本体には、前記下方透光部を塞ぐように半透明フィルムが設けられている上記１．乃至７．のいずれか一項に記載の室内照明装置。
９．前記スライド部材の前記反射部には、凹曲面及び凸曲面のうちの少なくとも一方の曲面が設けられている上記１．乃至８．のいずれか一項に記載の室内照明装置。
１０．前記光源は指向性を有する１．乃至９．のいずれか一項に記載の室内照明装置。
１１．前記光源は１つである上記１．乃至１０．のいずれか一項に記載の室内照明装置。
１２．前記室内照明装置は車両用である上記１．乃至１１．のいずれか一項に記載の室内照明装置。
【発明の効果】
【０００７】
本発明の室内照明装置によると、スライド部材のスライド操作によって、スライド部材により下方透光部が開放され且つ側方透光部が塞がれる第１照明状態と、スライド部材により下方透光部が塞がれ且つ側方透光部が開放される第２照明状態とに切り替えられる。そして、第１照明状態では、光源からの光線は、塞がれた状態の側方透光部を介して側方に漏れず、直接的に又は反射部で反射されて開放状態の下方透光部を透過して下方に向かい、室内の直接照明が行われる。一方、第２照明状態では、光源からの光線は、塞がれた状態の下方透光部を介して下方に漏れず、反射部で反射されて又は直接的に開放状態の側方透光部を透過して側方に向かい、その光線が天井面で反射されて間接照明が行われる。このように、室内の直接照明である第１照明状態と天井面の間接照明である第２照明状態とを切り替えることができるので、室内の照明による演出効果を高めることができる。
また、前記反射部が、前記光源からの光線を側方に向けて反射するように構成されており、前記第１照明状態では、前記光源からの光線が前記下方透光部を透過し、前記第２照明状態では、前記反射部により側方に向けて反射された前記光源からの光線が前記側方透光部を透過する場合は、第１照明状態では、光源からの光線は、塞がれた状態の側方透光部を介して側方に漏れず、直接的に開放状態の下方透光部を透過して下方に向かい、室内の直接照明が行われる。一方、第２照明状態では、光源からの光線は、塞がれた状態の下方透光部を介して下方に漏れず、反射部で反射されて開放状態の側方透光部を透過して側方に向かい、その光線が天井面で反射されて間接照明が行われる。
また、前記本体の内部には、側方に延びて前記側方透光部に連なる側方通路部が設けられており、前記第１照明状態では、前記反射部が前記側方通路部の内部に進入して該側方通路部及び前記側方透光部が塞がれ、前記第２照明状態では、前記反射部が前記側方通路部の内部から脱出して該側方通路部及び前記側方透光部が開放される場合は、第１照明状態では、反射部が側方通路部の内部に進入されるので反射部で光線を反射させず乱反射を防止でき、第２照明状態では、側方通路部から脱出した反射部で光源からの光線を効率よく反射させることができる。
また、前記側方通路部の内表面に反射部が設けられている場合は、第２照明状態において、スライド部材の反射部で反射された光源からの光線を側方通路部内の反射部でさらに反射させて側方透光部に向かわせることができる。そのため、光源からの光線を効率よく反射してより適当な間接照明を行うことができる。
また、前記スライド部材には、前記本体の前記側方通路部の外周側に当接するつば部が設けられている場合は、第１照明状態において、側方通路部の外周側につば部が当接することによって側方通路部ひいては側方透光部を塞いで光線の漏れをさらに確実に防止できる。
また、前記反射部が、前記光源からの光線を下方に向けて反射するように構成されており、前記第１照明状態では、前記反射部により下方に向けて反射された前記光源からの光線が前記下方透光部を透過し、前記第２照明状態では、前記光源からの光線が前記側方透光部を透過する場合は、第１照明状態では、光源からの光線は、塞がれた状態の側方透光部を介して側方に漏れず、反射部で反射されて開放状態の下方透光部を透過して下方に向かい、室内の直接照明が行われる。一方、第２照明状態では、光源からの光線は、塞がれた状態の下方透光部を介して下方に漏れず、直接的に開放状態の側方透光部を透過して側方に向かい、その光線が天井面で反射されて間接照明が行われる。
また、前記側方透光部が複数設けられている場合は、第２照明状態において、任意の模様付きの間接照明を演出することができる。
また、前記本体には、前記下方透光部を塞ぐように半透明フィルムが設けられている場合は、半透明フィルムにより本体の内部構造を隠すことができ、見栄えを高めることができる。
また、前記スライド部材の前記反射部には、凹曲面及び凸曲面のうちの少なくとも一方の曲面が設けられている場合は、スライド部材の移動の程度によって凹面及び／又は凸面で反射される光線に異なる方向性を持たせることができる。これにより、スライド部材の移動程度により異なる模様付きの間接照明を演出することができる。
また、前記光源が指向性を有する場合は、スライド部材の反射部での反射方向を正確に制御できる。これにより、より適当な直接照明及び間接照明を行うことができる。
また、前記光源が１つである場合は、照明装置の小型化が可能となる。
さらに、前記室内照明装置が車両用である場合は、車両の車室内天井を効果的に照明することができる。
【発明を実施するための最良の形態】
【０００８】
１．室内照明装置
本実施形態１．に係る室内照明装置は、以下に述べる光源、本体及びスライド部材を備えている。なお、上記室内照明装置の用途等は特に問わないが、自動車等の車両用であることが好ましい。
【０００９】
上記「光源」は、光を発する限り、その構成、形状、大きさ、個数、設置形態等は特に問わない。この光源としては、例えば、発光ダイオード、白熱電球等のバルブ、蛍光灯、エレクトロルミネセンスライト等を挙げることができる。この光源は、例えば、指向性を有することができる。また、光源は、例えば、１つであることができる。
【００１０】
上記「本体」は、天井部に取り付けられ、光源を囲む限り、その構成、形状、大きさ、材質、設置形態等は特に問わない。この天井部としては、例えば、天井材、車両ボディ等を挙げることができる。
上記本体には、例えば、上記光源が取り付けられていることができる。これにより、光源が一体化された本体を天井部に取り付けることができ、天井部に対する照明装置の取付性を高めることができる。
【００１１】
上記「スライド部材」は、上記本体に対して側方にスライド移動可能に設けられ、光源からの光線を反射する反射部を有する限り、その構成、形状、大きさ、材質、設置形態、移動形態等は特に問わない。この反射部は、例えば、スライド部材の表面に反射層を設けてなることができる。この反射層は、例えば、メッキ処理により形成されたり、フィルム貼付により形成されたりできる。
上記スライド部材の反射部には、例えば、凹曲面及び凸曲面のうちの少なくとも一方の曲面が設けられていることができる。この凹曲面又は凸曲面の形状、大きさ、個数、設置形態等は特に問わない。
【００１２】
上記実施形態１．の室内照明装置では、上記本体には下方透光部及び側方透光部が設けられている。
上記下方透光部は、直接的な上記光源からの光線又はスライド部材の反射部で反射された光源からの光線が透過してその光線が下方に向かう限り、その構成、形状、大きさ、個数、設置形態等は特に問わない。上記本体には、例えば、この下方透光部を塞ぐように半透明フィルムが設けられていることができる。この半透明フィルムは、例えば、ハーフミラーからなっていることができる。また、この下方透光部には、例えば、光源からの光線の向きを変えるレンズカット部が設けられていることができる。このレンズカット部の照明パターン、形状、大きさ、個数、設置形態等は特に問わない。
上記側方透光部は、上記スライド部材の反射部で反射された光源からの光線又は直接的な光源からの光線が透過してその光線が側方に向かう限り、その構成、形状、大きさ、個数、設置形態等は特に問わない。この側方透光部は、例えば、複数設けられていることができる。この場合、複数の側方透光部の全てが同じ形状又は異なる形状であってもよいし、複数の側方透光部のうちの複数組が異なる形状であってもよい。
【００１３】
上記実施形態１．の室内照明装置では、スライド部材のスライド操作によって、スライド部材により下方透光部が開放され且つ側方透光部が塞がれる第１照明状態と、スライド部材により下方透光部が塞がれ且つ側方開口部が開放される第２照明状態と、を切り替えることができるようになっている。
【００１４】
ここで、上記実施形態１．の室内照明装置としては、例えば、以下に述べる（１）（２）形態を挙げることができる。
（１）上記反射部は、光源からの光線を側方に向けて反射するように構成されており、第１照明状態では、光源からの光線が下方透光部を透過し、第２照明状態では、反射部により側方に向けて反射された光源からの光線が側方透光部を透過する形態（例えば、図３及び４等参照）。
（２）上記反射部は、光源からの光線を下方に向けて反射するように構成されており、第１照明状態では、反射部により下方に向けて反射された光源からの光線が下方透光部を透過し、第２照明状態では、光源からの光線が側方透光部を透過する形態（例えば、図７及び８等参照）。
【００１５】
上記（１）形態では、例えば、本体には、側方に延びて側方透光部に連なる側方通路部が設けられており、第１照明状態では、反射部が側方通路部の内部に進入して側方通路部及び側方透光部が塞がれ、第２照明状態では、反射部が側方通路部の内部から脱出して側方通路部及び側方透光部が開放されることができる。この側方通路部の内表面には、例えば、反射部が設けられていることができる。この反射部は、例えば、側方通路部の内表面に反射層を設けてなることができる。この反射層は、例えば、メッキ処理により形成されたり、フィルム貼付により形成されたりできる。
上述の形態の場合、例えば、上記スライド部材には、本体の側方通路部の外周側に当接するつば部が設けられていることができる。このつば部の形状、大きさ、個数、設置形態等は特に問わない。
【００１６】
上記（１）形態では、例えば、上記光源は、斜め下方に向かって光線を発する指向性を有し、上記本体には、スライド部材が光源から離間したスライド端に位置した状態で光源の光線の指向方向と交差する部位に下方透光部が設けられていると共に、スライド部材が光源に近接したスライド端に位置した状態でスライド部材の反射部で反射される光源の光線の指向方向と交差する部位に下方透光部が設けられていることができる。
【００１７】
上記（２）形態では、例えば、上記光源は、側方に向かって光線を発する指向性を有し、上記本体には、スライド部材が光源に近接したスライド端に位置した状態でスライド部材の反射部で反射される光源の光線の指向方向と交差する部位に下方透光部が設けられていると共に、スライド部材が光源から離間したスライド端に位置した状態で光源の光線の指向方向と交差する部位に側方透光部が設けられていることができる。
【実施例】
【００１８】
以下、図面を用いて実施例１及び２により本発明を具体的に説明する。なお、本実施例１及び２では、本発明に係る「室内照明装置」として、自動車用の室内照明装置を例示する。
【００１９】
〔実施例１〕
（１）室内照明装置の構成
本実施例に係る室内照明装置１は、図１及び図２に示すように、自動車の車室内の天井面ＣのフロントガラスＦ寄り側に装着される。この室内照明装置１は、図３〜図５に示すように、１つの発光ダイオード２（本発明に係る「光源」として例示する。）、本体３及びスライド部材４を備えている。
【００２０】
上記本体３は、発光ダイオード２を囲むようになっている。また、この本体３の上部には、天井部６を構成する車両ボディ６ａ及び天井材６ｂのうちの天井材６ｂの端部に係止する係止部７が設けられている。また、本体３の内部に設けられた取付部８には、その光線が車両の後方で斜め下方に指向するように発光ダイオード２が取り付けられている。
【００２１】
上記スライド部材４は、図６に示すように、板状部１８と、この板状部１８の一端側に連なる傾斜台状の反射部１９とを有している。この板状部１８の反射部１９と反対側の端部は延設部２５となっている。また、このスライド部材４と本体３との間にはスライド機構２０（図５参照）が設けられている。このスライド機構２０は、板状部１８の左右縁側を、本体３の底面に形成された縦断面Ｌ字状のガイド部２１に支持して構成されている。そして、スライド部材４は、本体３に対して側方（車両の前後方向）にスライド移動可能とされている。具体的には、スライド部材４は、発光ダイオード２から離間したスライド端に位置した状態（図３参照）と、発光ダイオード２に近接したスライド端に位置した状態（図４参照）との間でスライド移動するようになっている。
【００２２】
上記反射部１９の傾斜面には、反射層１９ａ（例えば、メッキ層）が設けられている。この反射層１９ａは、発光ダイオード２の指向方向に対して傾斜した反射面を有している。また、反射部１９の頂上側には、本体３の側方通路部１５の外周側に当接するつば部１９ｂが設けられている。また、板状部１８の他端側の中央には、下方に延びるレバー２３が設けられている。このレバー２３の下端側には、操作部としてのカバー２４が取り付けられている。
【００２３】
上記本体３の底壁には、スライド部材４が発光ダイオード２から離間したスライド端に位置した状態（図３参照）で発光ダイオード２の光線の指向方向と交差する部位に、長楕円孔状の下方透光部１１が設けられている。また、本体３の底壁の外面には、下方透光部１１を塞ぐようにハーフミラーからなる半透明フィルム１３が設けられている。また、上記本体３の一側壁（車両の後方側の側壁）には、スライド部材４が発光ダイオード２に近接したスライド端に位置した状態（図４参照）でスライド部材４の反射部１９で反射された発光ダイオード２の光線の指向方向と交差する部位に、円孔状の複数の側方透光部１２が設けられている。また、本体３の内部には、発光ダイオード２を収納する空間Ｓから側方（車両の前後方向）に向かって延びて複数の側方透光部１２に連なる側方通路部１５が設けられている。この側方通路部１５の向きは、スライド部材４の反射部１９で反射された発光ダイオード２の光線の指向方向と一致している。また、この側方通路部１５の内表面には、反射層１５ａ（例えば、メッキ層）が設けられている。
【００２４】
ここで、本実施例の室内照明装置１では、スライド部材４のスライド操作によって、スライド部材４により下方透光部１１が開放され且つ側方透光部１２が塞がれる第１照明状態Ｐ（図３参照）と、スライド部材４により下方透光部１１が塞がれ且つ側方透光部１２が開放される第２照明状態Ｑ（図４参照）と、を切り替えることができるようになっている。この第１照明状態Ｐでは、反射部１９が側方通路部１５の内部に進入して側方通路部１５及び側方透光部１２が塞がれると共に、スライド部材４と下方透光部１１とは重ならず下方透光部１１は開放される。一方、第２照明状態Ｑでは、反射部１９が側方通路部１５の内部から脱出して側方通路部１５及び側方透光部１２が開放されると共に、スライド部材４と下方透光部１１とは重なり下方透光部１１は塞がれる。
【００２５】
（２）室内照明装置の作用
次に、上記構成の室内照明装置１の作用について説明する。
カバー２４を摘んでスライド部材４をスライド操作して第１照明状態Ｐとすると、図３に示すように、反射部１９が側方通路部１５の内部に進入して側方通路部１５及び側方透光部１２が塞がれると共に、スライド部材４の反射部１９が下方透光部１１の一部に重なることとなるが下方透光部１１の大部分にスライド部材４が重ならず下方透光部１１は開放される。すると、発光ダイオード２からの光線は、塞がれた状態の側方通路部１５及び側方透光部１２を介して側方に漏れず、直接的に開放状態の下方透光部１１及び半透明フィルム１３を透過して斜め下方に向かい、室内の直接照明が行われる。
【００２６】
一方、カバー２４を摘んでスライド部材４をスライド操作して第２照明状態Ｑとすると、図４に示すように、反射部１９が側方通路部１５の内部から脱出して側方通路部１５及び側方透光部１２が開放されると共に、スライド部材４の反射部１９及び板状部１８（延設部２５を含む。）が下方透光部１１に重なり下方透光部１１が塞がれる。すると、発光ダイオード２からの光線は、塞がれた状態の下方透光部１１を介して下方に漏れず、反射部１９で反射されて開放状態の側方通路部１５及び側方透光部１２を透過して側方に向かい、その光線が天井面Ｃで反射されて間接照明が行われる。この間接照明では、複数の側方透光部１２からの光線により天井面Ｃには王冠状の照明模様が演出される。
【００２７】
（３）実施例の効果
本発明の室内照明装置１によると、反射部１９を、発光ダイオード２からの光線を側方に向けて反射するように構成し、スライド部材４のスライド操作によって、スライド部材４により下方透光部１１が開放され且つ側方透光部１２が塞がれる第１照明状態Ｐと、スライド部材４により下方透光部１１が塞がれ且つ側方開口部１２が開放される第２照明状態Ｑとに切り替え可能としたので、第１照明状態Ｐでは、発光ダイオード２からの光線は、塞がれた状態の側方透光部１２を介して側方に漏れず、直接的に開放状態の下方透光部１１を透過して下方に向かい、室内の直接照明が行われる。一方、第２照明状態Ｑでは、発光ダイオード２からの光線は、塞がれた状態の下方透光部１１を介して下方に漏れず、反射部１９で反射されて開放状態の側方透光部１２を透過して側方に向かい、その光線が天井面Ｃで反射されて間接照明が行われる。このように、室内の直接照明である第１照明状態Ｐと天井面等の間接照明である第２照明状態Ｑとを切り替えることができるので、室内の照明による演出効果を高めることができる。
【００２８】
また、本実施例では、本体３に、側方に延びて側方透光部１２に連なる側方通路部１５を設け、第１照明状態Ｐでは、反射部１９が側方通路部１５の内部に進入して側方通路部１５及び側方透光部１２が塞がれ、第２照明状態Ｑでは、反射部１９が側方通路部１５の内部から脱出して側方通路部１５及び側方透光部１２が開放されるようにしたので、第１照明状態Ｐでは、反射部１９が側方通路部１５の内部に進入されるので反射部１９で光線を反射させず乱反射を防止でき、第２照明状態Ｑでは、側方通路部１５から脱出した反射部１９で発光ダイオード２からの光線を効率よく反射させることができる。
【００２９】
また、本実施例では、側方通路部１５の内表面に反射層１５ａを設けたので、第２照明状態Ｑにおいて、スライド部材４の反射部１９で反射された発光ダイオード２からの光線を側方通路部１５内の反射部１５ａでさらに反射させて側方透光部１２に向かわせることができる。そのため、発光ダイオード２からの光線を効率よく反射してより適当な間接照明を行うことができる。
【００３０】
また、本実施例では、スライド部材４に、本体３の側方通路部１５の外周側に当接するつば部１９ｂを設けたので、第１照明状態Ｐにおいて、側方通路部１５の外周側につば部１９ｂが当接することによって側方通路部１５ひいては側方透光部１２を塞いで光線の漏れをより確実に防止できる。
【００３１】
また、本実施例では、スライド部材４を、板状部１８（延設部２５を含む。）及び傾斜部１９を有して構成したので、第２照明状態Ｐにおいて、スライド部材４が下方透光部１１を完全に塞ぐこととなり、下方透光部１１での光線の漏れをより確実に防止できるとともに、照明装置１の内部構造を隠すことができる。
【００３２】
また、本実施例では、側方透光部１２を複数設けたので、第２照明状態Ｑにおいて、任意の模様付きの間接照明を演出することができる。
【００３３】
また、本実施例では、本体３に、下方透光部１１を塞ぐように半透明フィルム１３を設けたので、半透明フィルム１３により本体３の内部構造を隠すことができ、見栄えを高めることができる。
【００３４】
また、本実施例では、光源として指向性を有する発光ダイオード２を用いたので、スライド部材４の反射部１９での反射方向を正確に制御できる。そのため、より適当な直接照明及び間接照明を行うことができる。
【００３５】
また、本実施例では、発光ダイオード２を１つとしたので、照明装置１の小型化が可能となる。
【００３６】
また、本実施例では、本体３に発光ダイオード２を取り付けるようにしたので、発光ダイオード２が一体化された本体３を天井部６に取り付けることができ、天井部６に対する照明装置１の取付性を高めることができる。
【００３７】
さらに、本実施例では、室内照明装置１を車両用としたので、車両の車室内天井を効果的に照明することができる。
【００３８】
〔実施例２〕
（１）室内照明装置の構成
次に、実施例２に係る室内照明装置について説明する。なお、本実施例２において、上記実施例１の室内照明装置と同じ構成部位には同符号を付けて詳説を省略し、以下に相違点について詳説する。
【００３９】
本実施例に係る室内照明装置３１は、図７及び図８に示すように、１つの発光ダイオード３２（本発明に係る「光源」として例示する。）、本体３３及びスライド部材３４を備えている。
【００４０】
上記本体３３は、発光ダイオード３２を囲むようになっている。この本体３３の内部に設けられた取付部３５には、その光線が車両の側方に向かうように発光ダイオード３２が取り付けられている。
【００４１】
上記スライド部材３４は、板状部４１と、この板状部４１の一端側から斜め上方に向かって延びる板状の反射部４２と、を有している。この板状部４１には下方透光部３６を開放させるための穴部４３が形成されている。また、このスライド部材３４と本体３３との間には、実施例１と同様のスライド機構２０が設けられている。そして、スライド部材３４は、本体３３に対して側方（車両の前後方向）にスライド移動可能とされている。具体的には、スライド部材３４は、発光ダイオード３２に近接したスライド端に位置した状態（図７参照）と、発光ダイオード２から離間したスライド端に位置した状態（図８参照）との間でスライド移動するようになっている。
【００４２】
上記反射部４２の下面には、反射層４２ａ（例えば、メッキ層）が設けられている。この反射層４２ａは、発光ダイオード３２の指向方向に対して傾斜した反射面を有している。また、板状部１８の他端側の中央には、下方に延びるレバー２３が設けられている。このレバー２３の下端側には、操作部としてのカバー２４が取り付けられている。
【００４３】
上記本体３３の底壁には、スライド部材３４が発光ダイオード３２に近接したスライド端に位置した状態（図７参照）でスライド部材３４の反射部４２で反射された発光ダイオード３２からの光線の指向方向と交差する部位に、長楕円孔状の下方透光部３６が設けられている。また、本体３３の一側壁（車両の後方側の側壁）には、スライド部材３４が発光ダイオード３２から離間したスライド端に位置した状態（図４参照）で発光ダイオード３２の光線の指向方向と交差する部位に、円孔状の複数の側方透光部３７が設けられている。また、本体３３の内部には、発光ダイオード３２を収納する空間Ｓから側方（車両の前後方向）に向かって延びて複数の側方透光部３７に連なる側方通路部３８が設けられている。この側方通路部３８の向きは、発光ダイオード３２からの光線の指向方向と一致している。また、この側方通路部３８の内表面には、反射層３８ａ（例えば、メッキ層）が設けられている。
【００４４】
ここで、本実施例の室内照明装置３１では、スライド部材３４のスライド操作によって、スライド部材３４により下方透光部３６が開放され且つ側方透光部３７が塞がれる第１照明状態Ｐ（図７参照）と、スライド部材３４により下方透光部３６が塞がれ且つ側方開口部３７が開放される第２照明状態Ｑ（図８参照）と、を切り替えることができるようになっている。この第１照明状態Ｐでは、反射部４２により側方通路部３８及び側方透光部３７が塞がれると共に、スライド部材３４の穴部４３と下方透光部３６とが重なって下方透光部３６は開放される。一方、第２照明状態Ｑでは、反射部４２により側方通路部３８及び側方透光部３７が開放されると共に、スライド部材３４の板状部４１と下方透光部３６とが重なり下方透光部３６は塞がれる。
【００４５】
（２）室内照明装置の作用
次に、上記構成の室内照明装置３１の作用について説明する。
カバー２４を摘んでスライド部材３４をスライド操作して第１照明状態Ｐとすると、図７に示すように、スライド部材３４の穴部４３を介して下方透光部３６が開放されると共に、反射部４２により側方通路部３８及び側方透光部３７が塞がれる。すると、発光ダイオード３２からの光線は、塞がれた状態の側方透光部３７を介して側方に漏れず、反射部４２で反射されて開放状態の下方透光部３６及び半透明フィルム１３を透過して斜め下方に向かい、室内の直接照明が行われる。
【００４６】
一方、カバー２４を摘んでスライド部材３４をスライド操作して第２照明状態Ｑとすると、図８に示すように、スライド部材３４の板状部４１により下方透光部３６が塞がれると共に、反射部４２により側方通路部３８及び側方透光部３７が開放される。すると、発光ダイオード３２からの光線は、塞がれた状態の下方透光部３６を介して下方に漏れず、直接的に開放状態の側方通路部３８及び側方透光部３７を透過して側方に向かい、その光線が天井面Ｃで反射されて間接照明が行われる。この間接照明では、複数の側方透光部３７からの光線により天井面Ｃには王冠状の照明模様が演出される。
【００４７】
（３）実施例の効果
本発明の室内照明装置３１によると、上記実施例１の室内照明装置１と略同じ作用・効果を奏すると共に、反射部４２を、発光ダイオード３２からの光線を下方に向けて反射するように構成し、スライド部材３４のスライド操作によって、スライド部材３４により下方透光部３６が開放され且つ側方透光部３７が塞がれる第１照明状態Ｐと、スライド部材３４により下方透光部３６が塞がれ且つ側方開口部３７が開放される第２照明状態Ｑとに切り替え可能としたので、第１照明状態Ｐでは、発光ダイオード３２からの光線は、塞がれた状態の側方透光部３７を介して側方に漏れず、反射部４２で反射されて開放状態の下方透光部３６を透過して下方に向かい、室内の直接照明が行われる。一方、第２照明状態Ｑでは、発光ダイオード３２からの光線は、塞がれた状態の下方透光部３６を介して下方に漏れず、直接的に開放状態の側方透光部３７を透過して側方に向かい、その光線が天井面Ｃで反射されて間接照明が行われる。このように、室内の直接照明である第１照明状態Ｐと天井面等の間接照明である第２照明状態Ｑとを切り替えることができるので、室内の照明による演出効果を高めることができる。
【００４８】
尚、本発明においては、上記実施例１及び２に限られず、目的、用途に応じて本発明の範囲内で種々変更した実施例とすることができる。即ち、上記実施例１及び２では、第１及び第２照明状態Ｐ，Ｑの異なる２種類の照明状態を切り替えるようにしたが、これに限定されず、例えば、異なる３種類以上の照明状態を切り替えるようにしてもよい。
【００４９】
また、上記実施例１及び２では、円孔状の側方透光部１２，３７を例示したが、これに限定されず、例えば、所定の図柄形状（例えば、異形状、星形状、ハート形状等）に形成された側方透光部としてもよい。
【００５０】
また、上記実施例１及び２では、複数の側方透光部１２，３７の全てを同じ形状とした形態を例示したが、これに限定されず、例えば、複数の側方透光部の全てを異なる形状としてもよい。また、複数の側方透光部を複数組に分けてそれらの複数組で異なる形状としてもよい。
【００５１】
また、上記実施例１及び２では、本体３，３３に下方透光部１１，３６を覆う半透明フィルム１３を設けるようにしたが、これに限定されず、例えば、本体３，３３に下方透光部１１，３６を覆うレンズを設けるようにしてもよい。この場合、レンズに発光ダイオード２，３２からの光線の向きを変えるレンズカット部を設けることが好ましい。第１照明状態Ｐにおいて、適当な方向性を持つ室内の直接照明とすることができるためである。
【００５２】
また、本実施例１及び２では、スライド部材４，３４の反射部１９，４２の表面側を平面に形成したが、これに限定されず、例えば、図９に示すように、スライド部材４（３４）の反射部１９（４２）に凹曲面５０を設けるようにしてもよい。また、例えば、スライド部材４，３４の反射部１９，４２に凸曲面を設けたり、凹曲面及び凸曲面を組み合わせて設けたりしてもよい。これにより、スライド部材４，３４の移動の程度によって凹曲面及び／又は凸曲面で反射される光線に異なる方向性を持たせることができる。そのため、スライド部材４，３４の移動程度により異なる模様付きの間接照明を演出することができる。
【００５３】
また、上記実施例１及び２では、室内照明装置１，３１として平面矩形の形態を例示したが、これに限定されず、例えば、平面円形、楕円、異形等の室内照明装置としてもよい。
【００５４】
さらに、上記実施例１及び２では、車両の天井面ＣのフロントガラスＦ寄り側に配置される室内照明装置１，３１を例示したが、これに限定されず、例えば、車両の天井面Ｃの略中央部に配置される室内照明装置としてもよい。
【産業上の利用可能性】
【００５５】
演出効果を高めて室内を照明する技術として広く利用される。特に、車両の車室内を照明する技術として好適に利用される。
【図面の簡単な説明】
【００５６】
【図１】実施例１に係る室内照明装置を車両の天井面に取り付けた状態を示す斜視図である。
【図２】図１の要部拡大斜視図である。
【図３】図２のＡ−Ａ線断面図であり、上記室内照明装置の第１照明状態を示す。
【図４】図２のＡ−Ａ線断面図であり、上記室内照明装置の第２照明状態を示す。
【図５】図４のＢ−Ｂ線断面図である。
【図６】実施例１に係るスライド部材の斜視図である。
【図７】実施例２に係る室内照明装置の第１照明状態を示す縦断面図である。
【図８】上記室内照明装置の第２照明状態を示す縦断面図である。
【図９】その他の形態のスライド部材の斜視図である。
【符号の説明】
【００５７】
１，３１；室内照明装置、２，３２；発光ダイオード、３，３３；本体、４，３４；スライド部材、６；天井部、１９，４２；反射部、１１，３６；下方透光部、１２，３７；側方透光部、１３；半透明フィルム、１５，３８；側方通路部、Ｃ；天井面、Ｐ；第１照明状態、Ｑ；第２照明状態。
【図１】
2010143346.tif 000003
【図２】
2010143346.tif 000004
【図３】
2010143346.tif 000005
【図４】
2010143346.tif 000006
【図５】
2010143346.tif 000007
【図６】
2010143346.tif 000008
【図７】
2010143346.tif 000009
【図８】
2010143346.tif 000010
【図９】
2010143346.tif 000011